(57)【特許請求の範囲】
【請求項１】
放射線量データを取得するデータ取得装置と、前記データ取得装置で取得した放射線量データの時間推移を管理するデータ管理装置とを備え、
前記データ取得装置は、
放射線量データを測定する放射線量測定部と、
前記放射線量測定部で測定した放射線量データおよび前記データ取得装置に固有の識別情報を記憶する記憶部と、
前記記憶部に記憶された前記放射線量データおよび前記識別情報を前記データ管理装置宛に送信する取得側通信部と、
前記放射線量測定部、前記記憶部、および前記取得側通信部を含む各部の動作を制御する制御部と、
前記制御部に前記動作を行わせるための電力を前記各部に供給する蓄電池と、
を備え、
前記データ管理装置は、
前記取得側通信部から送信されてきた前記放射線量データおよび前記識別情報を受信する管理側通信部と、
前記管理側通信部を介して受信した前記放射線量データおよび前記識別情報を前記データ取得装置に対応付けて管理する管理部と、
を備え、
前記データ管理装置の前記管理部は、前記データ取得装置の前記制御部の動作状態を、節電可能な待機状態から、前記各部の動作を制御可能な稼働状態に移行させるウェイクアップトリガ信号を前記管理側通信部により前記データ取得装置宛に送信させ、
通常時は前記待機状態を維持している前記データ取得装置の前記制御部は、前記取得側通信部を介して前記ウェイクアップトリガ信号を受けると、当該データ取得装置の動作状態を、前記待機状態から前記稼働状態に移行させると共に、当該データ取得装置の動作状態が稼働状態にある旨、および、前記識別情報を含むウェイクアップアンサ信号を前記取得側通信部により前記データ管理装置宛に返信させ、
前記データ管理装置の前記管理部は、前記識別情報に基づく照合により前記ウェイクアップアンサ信号が正当なものと判定した場合、前記放射線量データのデータ要求を前記管理側通信部により前記データ取得装置宛に送信させ、
前記データ取得装置の前記制御部は、前記データ要求を受けると、前記放射線量データを前記取得側通信部により前記データ管理装置宛に返信させ、
前記データ管理装置の前記管理部は、前記放射線量データの返信を受けると、当該データ取得装置の動作状態を、前記稼働状態から前記待機状態に移行させるスリープダウントリガ信号を前記管理側通信部により前記データ取得装置に送信させ、
前記データ取得装置の前記制御部は、前記スリープダウントリガ信号を受けると、当該データ取得装置の動作状態を、前記稼働状態から前記待機状態に移行させると共に、当該データ取得装置の動作状態が待機状態にある旨、および、前記識別情報を含むスリープダウンアンサ信号を前記取得側通信部により前記データ管理装置宛に返信させる
ことを特徴とする放射線量データ管理システム。
【請求項２】
請求項１に記載の放射線量データ管理システムであって、
前記データ取得装置の前記制御部は、予め設定されるスケジュールに従って、前記放射線量データおよび前記識別情報を前記取得側通信部により前記データ管理装置宛に送信させる制御を行う、
ことを特徴とする放射線量データ管理システム。
【請求項３】
請求項１に記載の放射線量データ管理システムであって、
太陽光発電パネルを有して太陽光発電を行う太陽光発電部をさらに備え、
前記蓄電池は、前記太陽光発電部により発電された電力を用いて充電される、
ことを特徴とする放射線量データ管理システム。
【請求項４】
請求項３に記載の放射線量データ管理システムであって、
前記データ取得装置の前記制御部は、前記蓄電池の充電状態を検知する機能をさらに有し、前記放射線量データ、前記識別情報、および、前記蓄電池の充電状態を、前記取得側通信部により前記データ管理装置宛に送信させる制御を行う、
ことを特徴とする放射線量データ管理システム。
【請求項５】
請求項４に記載の放射線量データ管理システムであって、
前記データ取得装置の前記制御部は、ＧＰＳ情報に基づき当該データ取得装置の現在位置を検知する機能をさらに有し、前記放射線量データ、前記識別情報、前記蓄電池の充電状態、および、ＧＰＳ情報に基づく当該データ取得装置の現在位置データを、前記取得側通信部により前記データ管理装置宛に送信させる制御を行う、
ことを特徴とする放射線量データ管理システム。
【請求項６】
請求項１に記載の放射線量データ管理システムであって、
前記データ取得装置の前記放射線量測定部は、複数の放射線線量計を有し、
前記複数の放射線線量計は、地表面を基準として相互に異なる高さ位置にそれぞれ設けられる、
ことを特徴とする放射線量データ管理システム。
【請求項７】
放射線量データを取得するデータ取得装置と、前記データ取得装置で取得した放射線量データの時間推移を管理するデータ管理装置との間で放射線量データの通信を行う際に用いられ、
前記データ管理装置の管理部が、前記データ取得装置の動作状態を待機状態から稼働状態に移行させるウェイクアップトリガ信号を、管理側通信部により前記データ取得装置宛に送信させる工程と、
前記データ取得装置の制御部が、取得側通信部を介して前記ウェイクアップトリガ信号を受けると、当該データ取得装置の動作状態を、前記待機状態から前記稼働状態に移行させると共に、この稼働状態時に、当該データ取得装置自身の動作状態が稼働状態にある旨、および、当該データ取得装置に固有の識別情報を含むウェイクアップアンサ信号を、前記取得側通信部により前記データ管理装置宛に返信させる工程と、
前記データ管理装置の前記管理部が、前記管理側通信部を介して前記ウェイクアップアンサ信号の返信を受け、かつ、前記識別情報に基づく照合により当該ウェイクアップアンサ信号が正当なものと判定した場合、測定条件付きのデータ要求を、前記管理側通信部により前記データ取得装置宛に送信させる工程と、
前記データ取得装置の前記制御部が、前記取得側通信部を介して前記測定条件付きのデータ要求を受けると、当該要求を受けた測定条件に従う放射線量を測定すると共に、放射線量の測定値に係る放射線量データを、前記取得側通信部により前記データ管理装置宛に返信させる工程と、
前記データ管理装置の前記管理部が、前記管理側通信部を介して前記放射線量データおよび前記識別情報を受けると、前記データ取得装置の動作状態を前記稼働状態から前記待機状態に移行させるスリープダウントリガ信号を、前記管理側通信部により前記データ取得装置宛に送信させる工程と、
前記データ取得装置の前記制御部が、前記取得側通信部を介して前記スリープダウントリガ信号を受けると、当該データ取得装置の動作状態を、前記稼働状態から前記待機状態に移行させると共に、この待機状態時に、当該データ取得装置の動作状態が待機状態にある旨、および、当該データ取得装置に固有の識別情報を含むスリープダウンアンサ信号を、前記取得側通信部により前記データ管理装置宛に返信させる工程と、
を有することを特徴とする放射線量データ通信方法。
【発明の詳細な説明】
【技術分野】
【０００１】
本発明は、放射線量データの時間推移を管理する際に用いられる放射線量データ管理システム、および放射線量データ通信方法に関する。
【背景技術】
【０００２】
自然災害は唐突に襲来し甚大な被害を与える。２０１１年３月１１日に発生した東日本大震災では、地震およびそれに伴って発生した津波が、東京電力福島第一原子力発電所を襲った。この事故により放射性物質が広範に飛散した結果、放射線量の高い地点（ホット・スポット）が各地でみられることとなった。そのため、飛散した放射性物質による生活圏への影響の長期化が懸念されている。
【０００３】
放射線管理区域内における放射線量データの時間推移を管理する技術として、特許文献１が知られている。特許文献１には、線量計により計測した放射線量データ、および、ＣＣＤカメラにより撮像した線量計の設置領域の画像データを同時に取り込み、遠隔地に設けたデータ管理装置宛に無線で伝送して記憶させることにより、適切で迅速な被ばく管理ができるようにする放射線モニタシステムが記載されている。
【先行技術文献】
【特許文献】
【０００４】
【特許文献１】特開２００４−１２１９７号公報
【発明の概要】
【発明が解決しようとする課題】
【０００５】
しかしながら、特許文献１に係るシステムでは、放射線量データの測定地点に商用電源が供給されていることを前提としてその稼働状態が維持される。このため、特許文献１に係るシステムにおいて、仮に停電が生じた場合、同システムを稼働状態に維持することができない。その結果、放射線量データの取得および管理を共に行うことができなくなるという問題があった。
【０００６】
本発明は、前記の実情に鑑みてなされたものであり、停電が生じた場合であっても、放射線量データの取得および管理を確実に遂行可能な放射線量データ管理システムを提供することを目的とする。
【０００７】
また、本発明は、停電が生じた場合であっても、放射線量データの取得および管理を確実に遂行可能な放射線量データ通信方法を提供することを目的とする。
【課題を解決するための手段】
【０００８】
本発明に係る放射線量データ管理システムは、放射線量データを取得するデータ取得装置と、前記データ取得装置で取得した放射線量データの時間推移を管理するデータ管理装置とを備える。前記データ取得装置は、放射線量データを測定する放射線量測定部と、前記放射線量測定部で測定した放射線量データおよび前記データ取得装置に固有の識別情報を記憶する記憶部と、前記記憶部に記憶された前記放射線量データおよび前記識別情報を前記データ管理装置宛に送信する取得側通信部と、前記放射線量測定部、前記記憶部、および前記取得側通信部を含む各部の動作を制御する制御部と、前記制御部に前記動作を行わせるための電力を前記各部に供給する蓄電池と、を備える。前記データ管理装置は、前記取得側通信部から送信されてきた前記放射線量データおよび前記識別情報を受信する管理側通信部と、前記管理側通信部を介して前記放射線量データおよび前記識別情報を前記データ取得装置に対応付けて管理する管理部と、を備える。
前記データ管理装置の前記管理部は、前記データ取得装置の動作状態を、節電可能な待機状態から、前記各部の動作を制御可能な稼働状態に移行させるウェイクアップトリガ信号を前記管理側通信部により前記データ取得装置宛に送信させる。
通常時は前記待機状態を維持している前記データ取得装置の前記制御部は、前記取得側通信部を介して前記ウェイクアップトリガ信号を受けると、当該データ取得装置の動作状態を、前記待機状態から前記稼働状態に移行させると共に、当該データ取得装置の動作状態が稼働状態にある旨、および、前記識別情報を含むウェイクアップアンサ信号を前記取得側通信部により前記データ管理装置宛に返信させる。
前記データ管理装置の前記管理部は、前記識別情報に基づく照合により前記ウェイクアップアンサ信号が正当なものと判定した場合、前記放射線量データのデータ要求を前記管理側通信部により前記データ取得装置宛に送信させる。
前記データ取得装置の前記制御部は、前記データ要求を受けると、前記放射線量データを前記取得側通信部により前記データ管理装置宛に返信させる。
前記データ管理装置の前記管理部は、前記放射線量データの返信を受けると、当該データ取得装置の動作状態を、前記稼働状態から前記待機状態に移行させるスリープダウントリガ信号を前記管理側通信部により前記データ取得装置に送信させる。
前記データ取得装置の前記制御部は、前記スリープダウントリガ信号を受けると、当該データ取得装置の動作状態を、前記稼働状態から前記待機状態に移行させると共に、当該データ取得装置の動作状態が待機状態にある旨、および、前記識別情報を含むスリープダウンアンサ信号を前記取得側通信部により前記データ管理装置宛に返信させる。
【発明の効果】
【０００９】
本発明によれば、停電が生じた場合であっても、データ取得装置の動作状態を遠隔的に統括管理しながら、放射線量データの取得および管理を確実に遂行することができる。また、データ取得装置の平均消費電力を削減する効果を期待することができる。
なお、上記した以外の課題、構成、および、作用効果は、以下に述べる実施形態の説明により明らかにされる。
【図面の簡単な説明】
【００１０】
【図１Ａ】本発明の実施形態に係る放射線量データ管理システムの概要を表す全体構成図である。
【図１Ｂ】本発明の実施形態に係る放射線量データ管理システムの構成要素であるデータ取得装置の外観斜視図である。
【図１Ｃ】本発明の実施形態に係る放射線量データ管理システムの構成要素であるデータ管理装置が有する放射線量ＤＢの一例を示す二次元テーブルである。
【図２】本発明の実施形態に係る放射線量データ管理システムを構成するデータ取得装置およびデータ管理装置間の処理の流れを表す工程図である。
【図３】データ取得装置の動作状態の変位に応じた消費電力の時間推移を表す図である。
【発明を実施するための形態】
【００１１】
以下、本発明に係る放射線量データ管理システム、および放射線量データ通信方法について、図面を参照しながら詳細に説明する。
【００１２】
〔本発明の実施形態に係る放射線量データ管理システム１１の概要〕
はじめに、本発明に係る放射線量データ管理システム１１の概要について、図１Ａおよび図１Ｂを参照して説明する。図１Ａは、本発明の実施形態に係る放射線量データ管理システム１１の概要を表す全体構成図である。図１Ｂは、本発明の実施形態に係る放射線量データ管理システム１１の構成要素であるデータ取得装置１３−１の外観斜視図である。
【００１３】
本発明の実施形態に係る放射線量データ管理システム１１では、監視対象データとして放射線量データを採用している。
【００１４】
本発明の実施形態に係る放射線量データ管理システム１１は、図１Ａに示すように、複数のデータ取得装置１３−１，１３−２，・・・，１３−ｎ（ただし、ｎは任意の自然数）と、ひとつのデータ管理装置（複数であってもよい。）１５と、を備えて構成されている。
なお、複数のデータ取得装置１３−１，１３−２，・・・，１３−ｎ、および、ひとつのデータ管理装置１５は、可搬型の装置として構成される。
【００１５】
複数のデータ取得装置１３−１，１３−２，・・・，１３−ｎは、その構成が共通である。そこで、データ取得装置１３−１の構成を説明することで、複数のデータ取得装置１３−１，１３−２，・・・，１３−ｎの構成の説明に代えることとする。また、以下の説明において、複数のデータ取得装置１３−１，１３−２，・・・，１３−ｎを総称して“データ取得装置１３”と呼ぶことがある。
【００１６】
データ取得装置１３−１は、図１Ａおよび図１Ｂに示すように、放射線量測定部１７、衛星通信部１９、ＧＰＳ受信機２１、太陽光発電パネル２３、蓄電池２５、記憶部２７、および、制御部２９を備えて構成されている。蓄電池２５、記憶部２７、および、制御部２９は、図１Ｂに示すように、略直方体形状のケース３０内に収容されている。放射線量測定部１７、衛星通信部１９、ＧＰＳ受信機２１、および、太陽光発電パネル２３は、ケース３０外に露出するように設けられている。
【００１７】
データ取得装置１３−１は、例えば、放射線量が高いと想定される地域、文教地域、居住地域、山間部、海上などの屋外に設けられる。そのため、ケース３０には、防水性、防塵性、耐食性、耐候性、および、耐衝撃性を有する堅牢な構造が採用される。ケース３０外に露出するように設けられる放射線量測定部１７、衛星通信部１９、ＧＰＳ受信機２１、および、太陽光発電パネル２３にも、ケース３０と同様の防水性、防塵性、耐食性、耐候性、および、耐衝撃性を考慮した堅牢な構造が採用される。
【００１８】
本発明の測定部に相当する放射線量測定部１７は、図１Ｂに示すように、放射線量を測定する複数の放射線線量計１７ａ，１７ｂ，１７ｃを有する。これらの複数の放射線線量計１７ａ，１７ｂ，１７ｃは、地表面を基準として相互に異なる高さ位置に設けられる。具体的には、地表面を基準として、例えば、放射線線量計１７ａは約５ｃｍ、放射線線量計１７ｂは約５０ｃｍ、放射線線量計１７ｃは約１００ｃｍの高さ位置にそれぞれ設けられている。
【００１９】
放射線線量計１７ａ，１７ｂ，１７ｃとしては、例えば、ＧＭサーベイメータや、ＮａＩシンチレーションサーベイメータなどを採用すればよい。ただし、高放射線量エリアの放射線量を測定する場合は、前記以外の適切な測定計器を用いてもよい。
なお、放射線線量計１７ａ，１７ｂ，１７ｃは、測定環境による検出感度の変化や、部品劣化の影響による指示値のずれが生じる。こうした検出感度の変化や指示値のずれを修正するため、放射線線量計１７ａ，１７ｂ，１７ｃは、定期的（例えば年１回程度）に校正することで精度が確保されたものを用いる。
【００２０】
複数のデータ取得装置１３−１，１３−２，・・・，１３−ｎ間で相互に異なる放射線線量計を採用する場合、機種や測定系ごとに測定データの読み取り誤差が生じる。そこで、かかる読み取り誤差を除くために、使用する測定計器を予め調べて決定した補正係数をかけて、放射線量データを横並びで（共通の精度で）比較できるようにする。
【００２１】
放射線量測定部１７で得られた放射線量に係る実際の測定結果は、制御部２９に送られる。制御部２９では、放射線量に係る実際の測定結果を、人体への影響の大きさを表す指標となる数値（等価線量）に換算する。こうして換算された数値（測定値）が、本発明の実施形態に係る放射線量データ管理システム１１において、放射線量データとして取り扱われる。
【００２２】
本発明の取得側通信部に相当する衛星通信部１９は、人工衛星を介する衛星通信回線３１を用いて通信相手となるデータ管理装置１５との間で通信を行う機能を有する。
【００２３】
ＧＰＳ受信機２１は、ＧＰＳ（Global Positioning System）用の人工衛星から送信される衛星電波を受信すると共に、データ取得装置１３−１の現在位置データを出力する機能を有する。
【００２４】
本発明の太陽光発電部の機能を有する太陽光発電パネル２３は、太陽光発電により直流電力を出力する機能を有する。太陽光発電パネル２３は、図１Ｂに示すように、ケース３０の天板部分に設けられている。太陽光発電パネル２３は、データ取得装置１３−１の設置場所における太陽の高度に適する向きおよび勾配（傾斜角度）に可変調整可能な構造を採用する。太陽光発電パネル２３としては、単結晶、多結晶シリコン型を利用した板状のもの、または、薄膜シリコン型を利用したシート状・フィルム状のものを適宜採用することができる。
【００２５】
蓄電池２５は、放射線量測定部１７、衛星通信部１９、ＧＰＳ受信機２１、記憶部２７、および、制御部２９を含む各部へ直流電力を供給する機能を有する。蓄電池２５は、予め満充電されたものを用いる。しかし、蓄電池２５の容量は、使用頻度および使用時間に応じて減ってゆく（自然放電を含む）。
【００２６】
そこで、蓄電池２５の容量の減少速度を抑制（充放電バランスを調整）するために、蓄電池２５は、太陽光発電パネル２３により発電された電力を用いて充電される構成を採用している。蓄電池２５の容量は、特に限定されないが、例えば、太陽光発電による充電が数週間程度途切れたとしても、データ取得装置１３−１の稼働状態を維持可能な容量に設定することができる。
【００２７】
記憶部２７は、放射線量測定部１７で測定した放射線量データ、および、データ取得装置１３−１に固有の識別情報を記憶する機能を有する。データ取得装置１３−１に固有の識別情報は、データ管理装置１５において、放射線量データと、その放射線量データを取得したデータ取得装置１３の存在位置とを対応付けて管理する際に用いられる。
【００２８】
制御部２９は、通常時において、節電可能な待機状態を維持している。ただし、データ管理装置１５の側から衛星通信部１９を介して後記するウェイクアップトリガ信号を受けると、制御部２９は、自身の動作状態を、待機状態から、放射線量測定部１７、衛星通信部１９、ＧＰＳ受信機２１、および、記憶部２７を含む各部の動作を制御可能な稼働状態に移行させるように働く。この稼働状態時に、制御部２９は、放射線量データおよびデータ取得装置１３−１に固有の識別情報（ＧＰＳ情報に基づく現在位置データを含む）を、衛星通信部１９により衛星通信回線３１を通してデータ管理装置１５宛に送信させる制御を行う。
【００２９】
制御部２９は、不図示のＣＰＵ（Central processing Unit）、ＲＯＭ（Read Only Memory）、ＲＡＭ（Random Access Memory）、入出力回路（Ａ／Ｄ変換器やＤ／Ａ変換器を含む）などを備えて構成される。ＣＰＵは、ＲＯＭに格納されたプログラムに従って、ＲＡＭを作業領域として用いて、制御部２９が有する機能を実現するように動作する。
【００３０】
一方、データ管理装置１５は、図１Ａに示すように、衛星通信部３３、放射線量データベース（以下、“放射線量ＤＢ”と省略する。）３５、および、管理部３７を備えて構成されている。図１Ｃは、本発明の実施形態に係る放射線量データ管理システム１１の構成要素であるデータ管理装置１５が有する放射線量ＤＢ３５の一例を示す二次元テーブルである。
【００３１】
本発明の管理側通信部に相当する衛星通信部３３は、人工衛星を介する衛星通信回線３１を用いて通信相手となるデータ取得装置１３との間で通信を行う機能を有する。
【００３２】
放射線量ＤＢ３５は、図１Ｃに示すように、識別情報、測定日時、現在位置データ、測定高（ｃｍ）、測定値（μＳｖ／ｈ）、および、備考を列方向に係る項目として有している。識別情報とは、複数のデータ取得装置１３のそれぞれに割り振られる固有の情報である。図１Ｃの例では、識別情報としてデータ取得装置の符号“１３−１”，“１３−２”を記述している。測定日時とは、放射線量を測定した日時の情報である。現在位置データとは、放射線量の測定場所を表す情報である。図１Ｃの例では、現在位置データとして緯度および経度を記述している。測定高（ｃｍ）とは、放射線線量計１７が設置されている高さ位置を表す情報である。図１Ｃの例では、測定高（ｃｍ）として、地表面を基準とする高さ位置（５ｃｍ／５０ｃｍ／１００ｃｍ）を記述している。測定値（μＳｖ／ｈ）とは、放射線量に係る実際の測定結果を、人体への影響の大きさを表す指標となる数値（等価線量）に換算した情報である。図１Ｃの例において、備考欄には、現在位置データに対応する場所の名称が記述されている。
【００３３】
管理部３７は、複数のデータ取得装置１３を統括管理する機能を有する。具体的には、管理部３７は、予め設定されるタイムスケジュール（時刻表）に従って、データ取得装置１３の動作状態を、待機状態から稼働状態に移行させるウェイクアップトリガ信号を、衛星通信部３３により衛星通信回線３１を通して、予め設定されるデータ取得装置１３に送信させる機能、複数のデータ取得装置１３から送信されてきた放射線量データ、識別情報、蓄電池２５の充電状態、および、ＧＰＳ情報に基づくデータ取得装置１３の現在位置データを管理側通信部３３により受信させる機能、予め設定されるタイムスケジュール（時刻表）に従って、データ取得装置１３の動作状態を、稼働状態から待機状態に移行させるスリープダウントリガ信号を、衛星通信部３３により衛星通信回線３１を通して、予め設定されるデータ取得装置１３に送信させる機能、並びに、複数のデータ取得装置１３から取得した放射線量データの時間推移を、それぞれのデータ取得装置１３に対応付けて管理する機能を有する。放射線量ＤＢ３５および管理部３７は、本発明の“管理部”に相当する。
【００３４】
管理部３７は、不図示のＣＰＵ（Central processing Unit）、ＲＯＭ（Read Only Memory）、ＲＡＭ（Random Access Memory）、入出力回路（Ａ／Ｄ変換器やＤ／Ａ変換器を含む）などを備えて構成される。ＣＰＵは、ＲＯＭに格納されたプログラムに従って、ＲＡＭを作業領域として用いて、管理部３７が有する前記機能を実現するように動作する。
【００３５】
〔本発明の実施形態に係る放射線量データ管理システム１１の動作〕
次に、本発明の実施形態に係る放射線量データ管理システム１１の動作（本発明の“放射線量データ通信方法”に相当する。）について、図２を参照して説明する。図２は、本発明の実施形態に係るデータ管理システム１１を構成するデータ取得装置１３およびデータ管理装置１５間の処理の流れを表す工程図である。図２に示す処理工程は、予め設定されるタイムスケジュール（時刻表）に従って、複数のデータ取得装置１３−１，１３−２，・・・．１３−ｎのうち、放射線量データの取得対象として予め設定されるデータ取得装置１３とデータ管理装置１５との間で遂行される。図２に示す例では、データ取得装置１３−１とデータ管理装置１５との間で放射線量データの取得および管理を行う設定がされているものとして説明を進める。
【００３６】
図２に示すステップＳ１１において、データ管理装置１５の管理部３７は、データ取得装置１３−１の動作状態を待機状態から稼働状態に移行させるウェイクアップトリガ信号（データ取得装置１３−１に固有の識別情報を含む）を、衛星通信部３３により衛星通信回線３１を通して、データ取得装置１３−１宛に送信させる。
【００３７】
ステップＳ１２において、衛星通信部１９を介してウェイクアップトリガ信号を受けると、データ取得装置１３−１の制御部２９は、ウェイクアップトリガ信号が自己を宛先とするものか否かを、ウェイクアップトリガ信号に含まれる識別情報に基づいて照合する。この照合の結果、ウェイクアップトリガ信号が自己を宛先とするものとの判定が下された場合、データ取得装置１３−１の制御部２９は、自身の動作状態を、待機状態から稼働状態に移行させる。この稼働状態時に、制御部２９は、自身の動作状態が稼働状態にある旨、および、データ取得装置１３−１に固有の識別情報（ＧＰＳ情報に基づく現在位置データを含む）を含むウェイクアップアンサ信号を、衛星通信部１９により衛星通信回線３１を通してデータ管理装置１５宛に返信させる。
【００３８】
ステップＳ１３において、衛星通信部３３を介してウェイクアップアンサ信号の返信を受けると、データ管理装置１５の管理部３７は、ウェイクアップアンサ信号が正当なものか否かを、ウェイクアップアンサ信号に含まれる識別情報に基づいて照合する。この照合の結果、ウェイクアップアンサ信号が正当なものとの判定が下された場合、データ管理装置１５の管理部３７は、測定条件付きのデータ要求を、衛星通信部３３により衛星通信回線３１を通してデータ取得装置１３−１に送信させる。測定条件付きのデータ要求としては、例えば、地表面を基準とする３種類の高さ位置（５ｃｍ／５０ｃｍ／１００ｃｍ）の測定値（等価線量）に係る放射線量を採用することができる。また、測定条件として、測定時刻、および、測定した放射線量データの返信時刻を設定してもよい。
【００３９】
ステップＳ１４において、衛星通信部１９を介して測定条件付きのデータ要求を受けると、データ取得装置１３−１の制御部２９は、要求を受けた３種類の高さ位置（５ｃｍ／５０ｃｍ／１００ｃｍ）の放射線量を測定すると共に、放射線量の測定値（等価線量）に係る放射線量データを、衛星通信部１９により衛星通信回線３１を通してデータ管理装置１５宛に返信させる。
【００４０】
ステップＳ１５において、衛星通信部３３を介して要求データの返信を受けると、データ管理装置１５の管理部３７は、データ取得装置１３の動作状態を、稼働状態から待機状態に移行させるスリープダウントリガ信号を、衛星通信部３３により衛星通信回線３１を通して、予め設定されるデータ取得装置１３−１に送信させる。
【００４１】
ステップＳ１６において、衛星通信部１９を介してスリープダウントリガ信号を受けると、データ取得装置１３−１の制御部２９は、自身の動作状態を、稼働状態から待機状態に移行させる。この待機状態時に、制御部２９は、自身の動作状態が待機状態にある旨、および、データ取得装置１３−１に固有の識別情報（ＧＰＳ情報に基づく現在位置データを含む）を含むスリープダウンアンサ信号を、衛星通信部１９により衛星通信回線３１を通してデータ管理装置１５宛に返信させる。
【００４２】
衛星通信部３３を介してスリープダウンアンサ信号の返信を受けると、データ管理装置１５の管理部３７は、放射線量データの取得に係る一連の処理工程を終了させる。
なお、放射線量データの取得対象となるデータ取得装置１３が複数ある場合には、ステップＳ１１〜Ｓ１６の処理工程を、放射線量データの取得対象となるデータ取得装置１３の数だけ、同報的に、または、順次繰り返すことにより行う。
【００４３】
〔本発明の実施形態に係る放射線量データ管理システム１１の作用効果〕
次に、本発明の実施形態に係る放射線量データ管理システム１１の作用効果について説明する。
【００４４】
本発明の実施形態に係る放射線量データ管理システム１１は、放射線量データを取得するデータ取得装置１３と、データ取得装置１３で取得した放射線量データの時間推移を管理するデータ管理装置１５と、を備える。
【００４５】
データ取得装置１３は、放射線量データを測定する放射線量測定部１７と、放射線量データおよびデータ取得装置１３に固有の識別情報を記憶する記憶部２７と、記憶部２７に記憶された放射線量データおよび識別情報をデータ管理装置１５宛に送信する衛星通信部１９と、放射線量測定部１７、記憶部２７、および衛星通信部１９を含む各部の動作を制御する制御部２９と、制御部２９に前記動作を行わせるための電力を前記各部に供給する蓄電池２５と、を備える。
【００４６】
データ管理装置１５は、衛星通信部１９から送信されてきた放射線量データおよび識別情報を受信する衛星通信部３３と、衛星通信部３３で受信した放射線量データおよび識別情報を、放射線量ＤＢ３５を用いてデータ取得装置１３に対応付けて管理する管理部３７と、を備える。
【００４７】
本発明の実施形態に係る放射線量データ管理システム１１によれば、制御部２９に所定の動作を行わせるための電力を各部に供給する蓄電池２５を備えるため、例えば、地震と津波による複合災害で停電が生じた場合であっても、放射線量データの取得および管理を確実に遂行することができる。
【００４８】
本発明の実施形態に係る監視対象データである空間放射線量は、大気中の放射性物質の放出量、濃度、放出源からの距離や風向きなどに応じて時々刻々と変化する。しかし、放射線は、人体で直接感じることができない。このため、人手により放射線量の測定を行う場合、測定時における測定者の放射線被ばくに関する影響が問題となる。
【００４９】
この点、本発明の実施形態に係る放射線量データ管理システム１１では、データ取得装置１３は、屋外に分散して設置される。また、データ管理装置１５は、例えば、地方自治体の屋内施設や車室内などに設置される。そして、データ取得装置１３とデータ管理装置１５との間で、衛星通信媒体を介した放射線量データの取得および管理が遂行される。
【００５０】
したがって、本発明の実施形態に係る放射線量データ管理システム１１によれば、人手を介した放射線量の測定に代えて、適宜の遠隔地に設置したデータ取得装置１３から人手を介しない通信により放射線量データを取得することができるため、放射線量を測定する際の放射線による人体への影響を排除することができる。また、放射線量の測定に係る要員数、時間および費用を大幅に削減することができる。さらに、衛星通信媒体を用いて放射線量データの通信を行うため、衛星通信媒体が災害の発生時において高い可用性を有するという意味で、災害に強いという副次的な効果を期待することもできる。
【００５１】
特に、本発明の実施形態に係る放射線量データ管理システム１１によれば、人の立ち入りが困難な辺境地域や放射線汚染地域にデータ取得装置１３を設置した場合に、こうした辺境地域や放射線汚染地域の放射線量データを取得および管理することができるため、ホット・スポットを見逃すことがないといった優れた効果を奏する。
【００５２】
また、本発明の実施形態に係る放射線量データ管理システム１１では、データ取得装置１３の制御部２９は、予め設定されるタイムスケジュール（時刻表）に従って（定刻に）、放射線量データおよび識別情報を衛星通信部１９によりデータ管理装置１５宛に送信させる制御を行う、構成を採用してもよい。
【００５３】
このように、データ取得装置１３の側に放射線量データの取得および通信を行うタイムスケジュール（時刻表）を予め設定しておく構成を採用すれば、データ管理装置１５の側は、データ取得装置１３から送信されてくる放射線量データの受信を待ってデータ管理を遂行すればよいため、システム構成を簡略化することができる。
【００５４】
また、本発明の実施形態に係る放射線量データ管理システム１１では、データ管理装置１５の管理部３５，３７は、データ取得装置１３の制御部２９の動作状態を、節電可能な待機状態から、各部の動作を制御可能な稼働状態に移行させるウェイクアップトリガ信号を衛星通信部３３によりデータ取得装置１３宛に送信させる制御を行う。一方、通常時は待機状態を維持しているデータ取得装置１３の制御部２９は、衛星通信部１９を介してウェイクアップトリガ信号を受けると、自身の動作状態を、待機状態から稼働状態に移行させると共に、この稼働状態時に、放射線量データおよび識別情報を衛星通信部１９によりデータ管理装置１５宛に送信させる制御を行う、構成を採用している。
【００５５】
このように、データ取得装置１３の側が、データ管理装置１５の側からのウェイクアップトリガ信号に応答して、放射線量データを送信する構成を採用すれば、データ管理装置１５の側で設定した所要のタイミングをもって放射線量データを収集することができるため、放射線量データの取得および管理を柔軟に行うことができる。
【００５６】
また、本発明の実施形態に係る放射線量データ管理システム１１では、衛星通信部１９を介してウェイクアップトリガ信号を受けると、データ取得装置１３−１の制御部２９は、自身の動作状態を、待機状態から稼働状態に移行させると共に、この稼働状態時に、制御部２９自身の動作状態が稼働状態にある旨、および、データ取得装置１３−１に固有の識別情報（ＧＰＳ情報に基づく現在位置データを含む）を含むウェイクアップアンサ信号を、衛星通信部１９により衛星通信回線３１を通してデータ管理装置１５宛に返信させる、構成を採用している。
【００５７】
このように、データ取得装置１３の側が、データ管理装置１５の側からのウェイクアップトリガ信号に応答して、ウェイクアップアンサ信号を返信する構成を採用すれば、データ管理装置１５の側では、データ管理装置１５の動作状態を確認しながら放射線量データの収集および管理を確実に遂行することができる。
【００５８】
また、本発明の実施形態に係る放射線量データ管理システム１１では、衛星通信部３３を介してウェイクアップアンサ信号の返信を受けると、データ管理装置１５の管理部３７は、測定条件付きのデータ要求を、衛星通信部３３により衛星通信回線３１を通してデータ取得装置１３−１に送信させる、構成を採用している。
【００５９】
このように、データ管理装置１５の側が、データ取得装置１３の側からのウェイクアップアンサ信号に応答して、測定条件付きのデータ要求を送信する構成を採用すれば、データ取得装置１３の側では、制御部２９の動作状態を稼働状態に維持して測定条件付きのデータ要求を確実に処理することができる。また、データ管理装置１５は、同装置１５の側で設定した測定条件付きのデータ要求に従う放射線量データを収集することができるため、放射線量データの取得および管理を柔軟かつ確実に遂行することができる。
【００６０】
また、本発明の実施形態に係る放射線量データ管理システム１１では、測定条件付きのデータ要求として、地表面を基準とする３種類の高さ位置（５ｃｍ／５０ｃｍ／１００ｃｍ）の測定値（等価線量）に係る放射線量を採用することとしている。しかも、衛星通信部１９を介して測定条件付きのデータ要求を受けると、データ取得装置１３−１の制御部２９は、要求を受けた３種類の高さ位置（５ｃｍ／５０ｃｍ／１００ｃｍ）の放射線量を測定すると共に、放射線量の測定値（等価線量）に係る放射線量データを、衛星通信部１９により衛星通信回線３１を通してデータ管理装置１５宛に返信させる、構成を採用している。
【００６１】
このように構成すれば、データ管理装置１５は、地表面を基準とする３種類の高さ位置（５ｃｍ／５０ｃｍ／１００ｃｍ）の測定値（等価線量）に係る放射線量データ（図１Ｃのテーブル参照）を収集することができるため、一の測定地点について、相互に異なる高さ位置に係る放射線量データ同士を比較したり、相互に異なる測定地点間について、相互に共通の高さ位置（例えば１００ｃｍ）に係る放射線量データ同士を比較するなどといったように、収集した放射線量データに基づく分析作業を多面的に行うことができる。
【００６２】
また、本発明の実施形態に係る放射線量データ管理システム１１では、衛星通信部３３を介して要求データの返信を受けると、データ管理装置１５の管理部３７は、データ取得装置１３の動作状態を、稼働状態から待機状態に移行させるスリープダウントリガ信号を、衛星通信部３３により衛星通信回線３１を通して、予め設定されるデータ取得装置１３−１に送信させる、構成を採用している。
【００６３】
さらに、本発明の実施形態に係る放射線量データ管理システム１１では、衛星通信部１９を介してスリープダウントリガ信号を受けると、データ取得装置１３−１の制御部２９は、自身の動作状態を、稼働状態から待機状態に移行させると共に、この待機状態時に、制御部２９自身の動作状態が待機状態にある旨、および、データ取得装置１３−１に固有の識別情報（ＧＰＳ情報に基づく現在位置データを含む）を含むスリープダウンアンサ信号を、衛星通信部１９により衛星通信回線３１を通してデータ管理装置１５宛に返信させる、構成を採用している。
【００６４】
このように構成すれば、データ取得装置１３の平均消費電力を削減する効果を期待することができる。ここで、データ取得装置１３の平均消費電力削減効果について、図３を参照して説明する。図３は、データ取得装置１３の動作状態の変位に応じた消費電力の時間推移を表す図である。図３に示すＴ１，Ｔ３は、データ取得装置１３の動作状態が待機状態にある区間を表す。同図に示すＴ２は、データ取得装置１３の動作状態が稼働状態にある区間を表す。同図に示すｔｕｐは、ウェイクアップトリガ信号の受信時における時刻を表す。同図に示すｔｄｎは、スリープダウントリガ信号の受信時における時刻を表す。同図に示すＰ１は、データ取得装置１３の動作状態が待機状態にある際の消費電力を表す。同図に示すＰ２は、データ取得装置１３の動作状態が稼働状態にある際の消費電力を表す。
【００６５】
図３に示すように、データ取得装置１３は、データ管理装置１５の側から送信されてきたウェイクアップトリガ信号を受けて、その受信時刻ｔｕｐに、制御部２９の動作状態を待機状態から稼働状態に移行させる。これに伴って、データ取得装置１３の消費電力は、Ｐ１からＰ２へと増加する。データ取得装置１３は、制御部２９の動作状態が稼働状態にある区間Ｔ２において、放射線量データの取得および通信を行う。
【００６６】
次いで、データ取得装置１３は、図３に示すように、データ管理装置１５の側から送信されてきたスリープダウントリガ信号を受けて、その受信時刻ｔｄｎに、制御部２９の動作状態を稼働状態から待機状態に移行させる。これに伴って、データ取得装置１３の消費電力は、Ｐ２からＰ１へと減少する。データ取得装置１３は、制御部２９の動作状態が待機状態にある区間Ｔ１およびＴ３において、データ管理装置１５の側からウェイクアップトリガ信号が送信されてくるのを待機している。要するに、前記の区間Ｔ１およびＴ３では、データ取得装置１３は、放射線量データの取得および通信を行わない。
【００６７】
このため、制御部２９の動作状態が待機状態にある区間Ｔ１およびＴ３では、制御部２９の動作状態が稼働状態にある区間Ｔ２と比べて、その消費電力を低く抑制することができる。したがって、本発明の実施形態に係る放射線量データ管理システム１１によれば、データ取得装置１３の平均消費電力を削減する効果を期待することができる。
【００６８】
また、本発明の実施形態に係る放射線量データ管理システム１１では、太陽光発電パネル２３を有して太陽光発電を行う太陽光発電部２３をさらに備え、蓄電池２５は、太光発電部２３により発電された電力を用いて充電される、構成を採用している。
【００６９】
このように構成すれば、制御部２９の動作状態が待機状態にある区間Ｔ１およびＴ３（図３参照）では、太陽光発電部２３は、太陽光発電による蓄電池２５の充電を行う。また、制御部２９の動作状態が稼働状態にある区間Ｔ２（図３参照）では、蓄電池２５は、制御部２９を含む各部へ電力供給を行う。したがって、本発明の実施形態に係る放射線量データ管理システム１１によれば、データ取得装置１３の側の消費電力を自給することにより、例えば、電力供給が困難な山林、海上、放射線汚染地域などにデータ取得装置１３を設置した場合であっても、放射線量データの取得および通信を長期間にわたって遂行することができる。
【００７０】
また、本発明の実施形態に係る放射線量データ管理システム１１では、データ取得装置１３の制御部２９は、蓄電池２５の充電状態を検知する機能をさらに有し、放射線量データ、識別情報、および、蓄電池２５の充電状態を、衛星通信部１９によりデータ管理装置１５宛に送信させる制御を行う、構成を採用してもよい。
【００７１】
このように構成すれば、データ管理装置１５の側では、放射線量データの取得および管理に加えて、蓄電池２５の充電状態を把握することができるため、あるデータ取得装置１３の蓄電池２５はメンテナンスが必要であるなどというように、データ取得装置１３が有する蓄電池２５の状態を適切に統括管理することができる。
【００７２】
また、本発明の実施形態に係る放射線量データ管理システム１１では、データ取得装置１３の制御部２９は、蓄電池２５の充電状態に代えて、または、加えて、データ取得装置１３の状態（例えば、放射線量測定部１７、衛星通信部１９、ＧＰＳ受信機２１、太陽光発電パネル２３、蓄電池２５、記憶部２７、または、制御部２９が正常に機能しているか否かを、自己診断プログラムに従って判断した結果など）を、衛星通信部１９によりデータ管理装置１５宛に送信させる制御を行う、構成を採用してもよい。
【００７３】
このように構成すれば、データ管理装置１５の側では、放射線量データの取得および管理に加えて、データ取得装置１３の側の状態が正常か否かを把握することができるため、あるデータ取得装置１３はメンテナンスが必要であるなどというように、データ取得装置１３の状態を適切に統括管理することができる。また、各部の機能が正常か否かに係るデータ取得装置１３の状態を受けて、ある機能部に異常が生じていることが判明した場合に、その機能部に対するメンテナンスを実施することで、各機能部のメンテナンス管理を簡素化する効果（それに伴う費用削減効果）を期待することもできる。さらに、データ管理装置１５の側では、データ取得装置１３が異常状態にある旨を取得または判断した場合に、放射線量データの取得を中止する運用を行う構成を採用してもよい。
【００７４】
また、本発明の実施形態に係る放射線量データ管理システム１１では、データ取得装置１３の制御部２９は、ＧＰＳ情報に基づき当該データ取得装置１３の現在位置を検知する機能をさらに有し、放射線量データ、識別情報、蓄電池２５の充電状態、および、ＧＰＳ情報に基づく当該データ取得装置１３の現在位置データを、衛星通信部１９によりデータ管理装置１５宛に送信させる制御を行う、構成を採用してもよい。
【００７５】
このように構成すれば、データ管理装置１５の側では、放射線量データ、識別情報、および、蓄電池２５の充電状態を、対応するデータ取得装置１３の現在位置データと関連付けて管理（例えば、地図上に放射線量データをマッピングするなど）することができるため、放射線量データの管理をより一層適切に行うことができる。
【００７６】
また、本発明の実施形態に係る放射線量データ管理システム１１では、データ取得装置１３の放射線量測定部１７は、複数の放射線線量計１７ａ，１７ｂ，１７ｃを有し、複数の放射線線量計１７ａ，１７ｂ，１７ｃは、地表面（データ取得装置１３を海上に設ける場合は、“海表面”に読み替える。）を基準として相互に異なる高さ位置にそれぞれ設けられる、構成を採用している。
【００７７】
このように構成すれば、データ管理装置１５は、地表面を基準として相互に異なる高さ位置にそれぞれ設けられる複数の放射線線量計１７ａ，１７ｂ，１７ｃに係る放射線量データ（図１Ｃのテーブル参照）を収集することができるため、一の測定地点について、相互に異なる高さ位置に係る放射線量データ同士を比較したり、相互に異なる測定地点間について、相互に共通の高さ位置に係る放射線量データ同士を比較するなどといったように、収集した放射線量データに基づく分析作業を多面的に行うことができる。
【００７８】
また、本発明の実施形態に係る放射線量データ管理システム１１では、放射線量データを取得するデータ取得装置１３と、データ取得装置１３で取得した放射線量データの時間推移を管理するデータ管理装置１５との間で放射線量データの通信を行う際に、以下に述べる放射線量データ通信方法を採用している。
【００７９】
この放射線量データ通信方法は、データ管理装置１５の管理部３７が、データ取得装置１３の動作状態を待機状態から稼働状態に移行させるウェイクアップトリガ信号を、衛星通信部３３によりデータ取得装置１３宛に送信させる工程と、データ取得装置１３の制御部２９が、衛星通信部１９を介してウェイクアップトリガ信号を受けると、当該データ取得装置１３自身の動作状態を、待機状態から稼働状態に移行させると共に、この稼働状態時に、当該データ取得装置１３自身の動作状態が稼働状態にある旨、および、データ取得装置１３に固有の識別情報を含むウェイクアップアンサ信号を、衛星通信部１９によりデータ管理装置１５宛に返信させる工程と、データ管理装置１５の管理部３７が、衛星通信部３３を介してウェイクアップアンサ信号の返信を受け、かつ、前記識別情報に基づく照合により当該ウェイクアップアンサ信号が正当なものと判定した場合、測定条件付きのデータ要求を、衛星通信部３３によりデータ取得装置１３宛に送信させる工程と、データ取得装置１３の制御部２９が、衛星通信部１９を介して測定条件付きのデータ要求を受けると、要求を受けた測定条件に従う放射線量を測定すると共に、放射線量の測定値に係る放射線量データを、衛星通信部１９により前記データ管理装置１５宛に返信させる工程と、データ管理装置１５の管理部３７が、衛星通信部３３を介して放射線量データおよび識別情報を受けると、データ取得装置１３の動作状態を稼働状態から待機状態に移行させるスリープダウントリガ信号を、衛星通信部３３によりデータ取得装置１３宛に送信させる工程と、データ取得装置１３の制御部２９が、衛星通信部１９を介してスリープダウントリガ信号を受けると、データ取得装置１３の動作状態を、稼働状態から待機状態に移行させると共に、この待機状態時に、当該データ取得装置１３の動作状態が待機状態にある旨、および、当該データ取得装置１３に固有の識別情報を含むスリープダウンアンサ信号を、衛星通信部１９により前記データ管理装置１５宛に返信させる工程と、を有する構成を採用している。
【００８０】
本発明の実施形態に係る放射線量データ通信方法によれば、データ管理装置１５は、データ取得装置１３の動作状態を遠隔的に統括管理しながら、放射線量データの取得および管理を確実に遂行することができる。また、データ取得装置１３の平均消費電力を削減する効果を期待することができる。
【００８１】
［その他の実施形態］
以上説明した本発明の実施形態は、本発明の具現化例を示したものである。したがって、これらによって本発明の技術的範囲が限定的に解釈されることがあってはならない。本発明はその要旨またはその主要な特徴から逸脱することなく、様々な形態で実施することができるからである。
【００８２】
例えば、本発明の実施形態に係る説明において、データ取得装置１３とデータ管理装置１５との間でデータ通信を行う際の通信媒体として、衛星通信回線を例示して説明したが、本発明はこの例に限定されない。前記の通信媒体としては、例えば、携帯電話回線網や公衆電話回線網を用いてもよい。
【００８３】
また、本発明の実施形態に係る説明において、データ取得装置１３の側は、放射線量データおよび識別情報の他に、ＧＰＳ情報に基づく当該データ取得装置１３の現在位置データを、衛星通信部１９によりデータ管理装置１５宛に送信する構成を例示して説明したが、本発明はこの例に限定されない。ＧＰＳ情報に基づく当該データ取得装置１３の現在位置データは、これを省略することができる。この場合において、データ管理装置１５の側は、データ取得装置１３に固有の識別情報に対応付けて、そのデータ取得装置１３の設置地点情報を記述した関係テーブルを有するものとする。これにより、データ管理装置１５の側は、関係テーブルを参照することで、データ取得装置１３の設置地点と、そのデータ取得装置１３に係る放射線量データとを一対一に関連付けて管理することができる。
【００８４】
また、本発明の実施形態に係る説明において、データ取得装置１３を、放射線量が高いと想定される地域、文教地域、居住地域、山間部、海上などの屋外に設置する例をあげて説明したが、本発明はこの例に限定されない。データ取得装置１３を、自動車に搭載し、蓄電池２５の代用品として車載用蓄電池を用いることにより、移動型の放射線量監視車とする構成を採用してもよい。さらに、データ取得装置１３を、前記の自動車に代えて、電車、船舶、または、飛行機に搭載し、蓄電池２５の代用品として、電車、船舶、または、飛行機に搭載された蓄電池を用いることにより、移動型の放射線量監視移動体とする構成を採用してもよい。
【００８５】
また、本発明の実施形態に係る説明において、データ管理装置１５の側から送信されてきたスリープダウントリガ信号に応答して、データ取得装置１３は、その動作状態を稼働状態から待機状態に移行させる例をあげて説明したが、本発明はこの例に限定されない。データ取得装置１３は、データ管理装置１５の側からの要求データを返信した直後、または、データ管理装置１５の側からの要求データを返信した後であって所定時間の経過後に、その動作状態を稼働状態から待機状態に移行させるように構成してもよい。この場合、データ管理装置１５の側から送信されるスリープダウントリガ信号、および、データ取得装置１３の側から返信されるスリープダウンアンサ信号は、これらを省略することができる。
【００８６】
また、本発明の実施形態において、データ取得装置１３は、放射線量測定部１７で測定した放射線量データをデジタル化してデータ管理装置１５宛に送信することにより、放射線量データに係る集計作業の効率化を図る構成を採用してもよい。
【００８７】
また、本発明の実施形態において、データ管理装置１５は、複数のデータ取得装置１３から送信されてきた放射線量データを集積することにより、地図上の地点と空間放射線量とを関連付けて表示した空間放射線量マップを作成することができる。こうして作成した空間放射線量マップは、ネットワーク（World Wide Web）を介して一般に公開することにより、公益性の高い空間放射線量情報を共有することができる。
【００８８】
また、本発明の実施形態に係る説明において、蓄電池２５の容量が減少する速度を抑制（充放電バランスを調整）するために、太陽光発電により蓄電池２５を充電する例をあげて説明したが、本発明はこの例に限定されない。蓄電池２５としては、例えば、１年間などの予め定められる監視期間を通じて、放射線量データ管理システム１１の機能を維持可能な容量のものを採用してもよい。この場合、蓄電池２５を充電するための発電設備は、これを省略することができる。
【００８９】
最後に、本発明の実施形態に係る説明において、蓄電池２５を充電するための発電設備として太陽光発電を例示して説明したが、本発明はこの例に限定されない。蓄電池２５を充電するための発電設備としては、例えば、風力発電などの発電設備を採用してもよい。
【符号の説明】
【００９０】
１１    放射線量データ管理システム
１３−１，１３−２，・・・，１３−ｎ    複数のデータ取得装置
１５    データ管理装置
１７    放射線量測定部
１９    衛星通信部（取得側通信部）
２１    ＧＰＳ受信機
２３    太陽光発電パネル（太陽光発電部）
２５    蓄電池
２７    記憶部
２９    制御部
３１    衛星通信回線
３３    衛星通信部（管理側通信部）
３５    放射線量ＤＢ（管理部）
３７    管理部
【図１Ａ】
0005843695.tif 000002
【図１Ｂ】
0005843695.tif 000003
【図１Ｃ】
0005843695.tif 000004
【図２】
0005843695.tif 000005
【図３】
0005843695.tif 000006